(57)【要約】【課題】鶏舎内側からパネル状の冷却パネルを着脱できる空冷装置を提供する。【解決手段】鶏舎の空冷装置１は、通気性を有し通過する空気と冷却用水とが内部で接触して前記通過空気から気化熱を奪うようになした冷却パネル６と、この冷却パネル６上縁に前記冷却用水を給水する給水パイプ７と、前記冷却パネル６を起立状態で載置するとともに、前記冷却パネル６下縁から排水する冷却用水を受ける樋とからなる。前記空冷装置１は、冷却パネル６が外側に倒れないよう上縁の外側を支持する外側支持部材たる上部カバー１０の折曲部１１と、冷却パネル６上縁の内側に係脱させて支持状態と非支持状態となすよう構成した内側支持部材たる支持板１５とを有し、支持板１５の前記支持状態において冷却パネル６の起立状態を維持する一方、同じく非支持状態において前記冷却パネル６を鶏舎２の内側で着脱し得るように構成する。【選択図】図３
2010136643.tif 000002
【特許請求の範囲】
【請求項１】
通気性を有し通過する空気と冷却用水とが内部で接触して前記通過空気から気化熱を奪うようになした冷却パネルと、この冷却パネルに前記冷却用水を給水する給水パイプと、前記冷却パネルを起立状態で載置可能となし、前記冷却パネルから排水する冷却用水を受ける樋とからなり、鶏舎の外気取り入れ口に位置して設置される空冷装置であって、冷却パネルが外側に倒れないようにその上縁の外側を支持する外側支持部材と、冷却パネル上縁の内側に係脱させて支持状態と非支持状態となすよう構成した内側支持部材とを有し、内側支持部材の前記支持状態において冷却パネルの起立状態を維持する一方、前記非支持状態において、鶏舎内側から前記冷却パネルを着脱し得るように構成したことを特徴とする鶏舎の空冷装置。
【請求項２】
冷却パネル上縁の外側を支持する外側支持部材は、鶏舎外壁面に固定し、冷却パネル上縁をカバーするための上部カバーの先端側を下方に折曲した折曲部により構成し、冷却パネル上縁の内側を支持する内側支持部材は、前記上部カバー下面側に分離可能に取り付けるとともに、前記冷却パネル上縁の内側に係止し得る支持板と、この支持板の係止状態を維持するよう支持板を保持する保持部材とで構成したことを特徴とする請求項１記載の鶏舎の空冷装置。
【請求項３】
支持板は、上部カバー下面に鶏舎内側方向に回転変位するよう枢支するとともに、前記冷却パネル上縁の内側に係止し得る回転支持板であることを特徴とする請求項記載２の鶏舎の空冷装置。
【請求項４】
保持部材は、折曲部と支持板を接近方向に締め付ける連繋バーであり、前記支持板は連繋バーから離脱可能であることを特徴とする請求項２又は３記載の鶏舎の空冷装置。
【発明の詳細な説明】
【技術分野】
【０００１】
本発明は、鶏舎外壁に設けられた外気取り入れ口に取り付け、鶏舎内に取り入れる外気を冷却するための空冷装置に係り、特に、二階以上の鶏舎に設置すると好適な鶏舎の空冷装置に関する。
【背景技術】
【０００２】
従来、鶏舎の空冷装置には、鶏舎の越屋根に設けられたものがある（特許文献１）。また、空冷装置は、鶏舎の内側に突出するように鶏舎内壁に取り付けると飼育作業用道具などをもった作業員の通行に支障が出るため、鶏舎外壁に取り付ける必要がある。そして、この鶏舎外壁に取り付けるものは、保守点検作業、清掃作業あるいは交換作用の際に冷却パネルを鶏舎の外側から着脱するように構成してある。
【０００３】
【特許文献１】登録実用新案第３０２１０４４号公報
【発明の開示】
【発明が解決しようとする課題】
【０００４】
特許文献１に記載の鶏舎の加湿冷却板は、越屋根に配置されているので、保守点検作業、清掃作業の際の取り外し作業を前記越屋根に登って行わなければならないので、手間がかかるという問題がある。また、鶏舎の外側から冷却板を着脱するものは、鶏舎の飼育ブロックが複数階にわたって配置されている場合、二階以上の飼育ブロックに対応する空冷装置の冷却パネルを着脱する際に、足場を設けたり、高所作業車を準備しなければならず、費用と手間がかかるという問題がある。
【０００５】
本発明は、前記各問題を解決することを課題とし、該課題を解決した鶏舎の空冷装置を提供することを目的とする。
【課題を解決するための手段】
【０００６】
前記目的を達成するために、請求項１に係る本発明は、通気性を有し通過する空気と冷却用水とが内部で接触して前記通過空気から気化熱を奪うようになした冷却パネルと、この冷却パネルに前記冷却用水を給水する給水パイプと、前記冷却パネルを起立状態で載置可能となし、前記冷却パネルから排水する冷却用水を受ける樋とからなり、鶏舎の外気取り入れ口に位置して設置される空冷装置であって、冷却パネルが外側に倒れないようにその上縁の外側を支持する外側支持部材と、冷却パネル上縁の内側に係脱させて支持状態と非支持状態となすよう構成した内側支持部材とを有し、内側支持部材の前記支持状態において冷却パネルの起立状態を維持する一方、前記非支持状態において、鶏舎内側から前記冷却パネルを着脱し得るように構成したものである。
【０００７】
また、請求項２に係る本発明は、請求項１に係る発明の構成を備え、冷却パネル上縁の外側を支持する外側支持部材は、鶏舎外壁面に固定し、冷却パネル上縁をカバーするための上部カバーの先端側を下方に折曲した折曲部により構成し、冷却パネル上縁の内側を支持する内側支持部材は、前記上部カバー下面側に分離可能に取り付けるとともに、前記冷却パネル上縁の内側に係止し得る支持板と、この支持板の係止状態を維持するよう支持板を保持する保持部材とで構成したものである。
【０００８】
さらに、請求項３に係る本発明は、請求項２に係る発明の構成を備え、支持板は、上部カバー下面に鶏舎内側方向に回転変位するよう枢支するとともに、前記冷却パネル上縁の内側に係止し得る回転支持板であるというものである。
【０００９】
またさらに、請求項４に係る発明は、請求項２又は３に係る発明の構成を備え、保持部材は、折曲部と支持板を接近方向に締め付ける連繋バーであり、前記支持板は連繋バーから離脱可能であるというものである。
【発明の効果】
【００１０】
請求項１に係る本発明は、空冷装置における保守点検作業、清掃作業あるいは交換作業で冷却パネルを着脱する際に、鶏舎の二階以上であっても、作業員は鶏舎内側において作業を容易に行うことができるという効果を奏する。
【００１１】
また、請求項２に係る本発明は、請求項１に係る本発明の効果に加えて、支持板を保持部材で離脱可能に保持するので、冷却パネルの着脱を容易に行えるという効果を奏する。
【００１２】
さらに、請求項３に係る本発明は、請求項２に係る本発明の効果に加えて、回転変位し得る回転支持板で冷却パネル上縁を係止するので、冷却パネル内側の支持及び支持解除作業が容易であるという効果を奏する。
【００１３】
またさらに、請求項４に係る発明は、請求項２又は請求項３に係る本発明の効果に加えて、支持板と連繋バーとを離脱可能に締め付けて連繋するので、冷却パネル内側の支持が確実であるという効果を奏する。
【発明を実施するための最良の形態】
【００１４】
次に、本発明の好適な第１の実施形態を添付図面の図１〜図５に基づいて説明する。ここにおいて、図１は空冷装置を組み立てる途中の状態を示す部分斜視図、図２は冷却パネルを取り外す途中の状態を示す空冷装置の縦断面図、図３は冷却パネルを支持する部分の拡大縦断面図、図４は鶏舎の横断面図、図５は同じく正面図である。
【００１５】
図１〜図５に示すように、空冷装置１は、鶏舎２の一階及び二階にそれぞれ設けた各飼育ブロック３（一階のみ図示）に対応して設けられ、鶏舎２の一方端における一階及び二階の鶏舎外壁４に設けられた外気取り入れ口５と、鶏舎２の一階側部の鶏舎外壁４に設けられた外気取り入れ口５とにそれぞれ設置される。また、空冷装置１は、前記各外気取り入れ口５を閉塞するように配置される複数の冷却パネル６と、これら冷却パネル６の上縁に冷却用水を給水する給水パイプ７と、前記外気取り入れ口５の下側縁部に沿って配置し、前記冷却パネル６を起立状態で載置し得るように構成するとともに、前記冷却パネル６下縁から出る冷却用水を受水する樋８とから構成する。
【００１６】
図４及び図５に示すように、鶏舎２の他方端の鶏舎外壁４には複数の排気ファン９が設けてあって、これら排気ファン９の吸引力で飼育ブロック３内の空気を前記鶏舎２の一方端から外部に排出することにより、前記外気取り入れ口５から空冷装置１を経て冷却外気が飼育ブロック３内に流入するように構成してある。そして、流入した冷却外気は、飼育ブロック３内を前記各排気ファン９に向って流れ、多数の飼育鶏から発生する熱気を冷却するのである。
【００１７】
図１〜図３に示すように、冷却パネル６は、前記樋８の上に立設し、通気性を有しその内部において通過する空気と徐々に下降する冷却用水とが接触して前記通過空気から気化熱を奪うように構成してある。
【００１８】
図１〜図３に示すように、前記空冷装置１は、冷却パネル６が鶏舎２の内側とは反対側に傾かないように支持する外側支持部材と、冷却パネル６の上縁の内側を支持するとともに、前記支持状態を解除可能に構成した内側支持部材とを備え、この内側支持部材の支持解除により、前記冷却パネル６が前記樋８上に位置する冷却パネル６下端を支点として飼育ブロック３側に傾け（図２参照）、持ち上げて取り出し得るように構成する。前記外側支持部材は、鶏舎外壁４に固定して雨や埃から冷却パネル６上縁を保護するための上部カバー１０の先端側を折曲した折曲部１１により構成する。また、前記冷却パネル６上縁の内側を支持する内側支持部材は、前記上部カバー１０内面から下方に突設した補助板１２に分離可能に蝶ネジ１３及び固定ボルト１４によって取り付けるとともに、その先端が冷却パネル６上縁の内側に係止し得る前記支持板１５と、前記折曲部１１と前記支持板１５にその両端を連繋し、前記支持板１５との連繋は蝶ネジ１６で分離可能となした連繋バー１７とで構成する。前記連繋バー１７の内側端部には雄螺旋を設け、この雄螺旋は支持板１５に設けた透孔（図示せず）に挿出入し得るようにしてあり、前記挿入状態において前記蝶ネジ１６を螺合、緊締して、前記支持板１５に連繋バー１７の内側端部を分離可能に連繋する。また、前記連繋バー１７の外側端部は折曲部１１に連繋してある。前記連繋バー１７、固定ボルト１４は複数設けるもので、また、これらに螺合する蝶ネジ１３，１６も複数設けられている。なお、前記蝶ネジ１６と連繋バー１７とにより保持部材を構成する。
【００１９】
図１及び図２に示すように、前記樋８は、冷却パネル６の内部を下降してきた冷却用水を受けるためのもので、その内側上部に水切りを兼ねた冷却パネル載置板８ａを配置したものであり、前記載置された冷却パネル６の下端縁が内外方向に外れないように構成してある。なお、この樋８で受けた冷却用水は、図示しない排水パイプを経て前記給水パイプ７に還元するように構成されている。
【００２０】
図１〜図３に示すように、給水パイプ７は、前記連繋バー１７上に載置され、各冷却パネル６上縁にそれぞれ対応する部分に給水孔（図示せず）を設ける。また、この給水パイプ７の斜め上方に位置するように前記上部カバー１０下面に、設けた給水受け１８は、前記給水パイプ７から給水される水を前記冷却パネル６の上縁に効率的に分散させるためのものである。さらに、前記連繋バー１７に設けた一対の突起１９は、載置した前記給水パイプ７がずれないようにするためのものである。
【００２１】
図１〜図３に示すように、前記上部カバー１０は、外気取り入れ口５の上縁の外側に沿って水平方向に伸びるように配置され、また、前記樋８は、前記外気取り入れ口５の下縁の外側に沿って水平方向に伸びるように配置される。そして、前記上部カバー１０の折曲部１１と前記樋８に上下端を連繋した補強枠２０は、上部カバー１０が風などで煽られないように補強するためのものである。
【００２２】
以上のように構成した空冷装置１において、保守点検作業、清掃作業あるいは交換作業を行う際の冷却パネル６の取り外し作業は、先ず、飼育ブロック３において作業員が内側支持部材である支持板１５を、各連繋バー１７の内側端部から蝶ネジ１６を緩めて外すとともに、補助板１２から蝶ネジ１３を緩めて外し分離する。この支持板１５が分離されると、冷却パネル６上縁の内側に対する支持が解除されるので、冷却パネル６は外気取り入れ口５を経て飼育ブロック３側に斜めに倒すことが可能となり、作業員はこの斜め状態の冷却パネル６を持ち上げ、空冷装置１から外す。また、清掃作業などを終えた冷却パネル６は、飼育ブロック３において作業員が斜めにして持ち上げ、その下端を樋８の冷却パネル載置板８ａに載置した後、上端側を起こして起立させ、前記支持板１５を蝶ネジ１３，１６で順次補助板１２と連繋バー１７に連繋することによって、冷却パネル６は、その上端外側が外側支持部材である上部カバー１０の折曲部１１に当接し、また、その上端内側が内側支持部材である支持板１５に係止してそれぞれ支持される。
【００２３】
続いて、第２の実施形態を図６に基づいて説明する。ここにおいて、図６は冷却パネルを支持する部分の拡大縦断面図である。
【００２４】
本実施形態の空冷装置５０は、前述の第１の実施形態とは、内側支持部材のみが相違し、その他の部材の構成は同一であるので、前記内側支持部材のみを説明し、他の部材については、その説明を省略し、図６における前記その他の部材に第１の実施形態と同一の符号を付すに止める。
【００２５】
図６に示すように、空冷装置５０の、冷却パネル６上縁の内側を支持する内側支持部材は、上部カバー１０の下面に蝶番５１で飼育ブロック３側（鶏舎２の内側）に回転変位するように枢支するとともに、その先端が冷却パネル６上縁の内側に係止し得る回転支持板５２と、前記上部カバー１０の外側支持部材たる折曲部１１と前記回転支持板５２にその両端を連繋した連繋バー５４とで構成する。前記連繋バー５４の内側端部には雄螺旋を設け、この雄螺旋は回転支持板５２に設けた透孔（図示せず）に挿出入し、前記挿入状態において前記蝶ネジ５３を螺合させて、前記回転支持板５２に連繋バー５４の内側端部を分離可能に連繋する。また、前記連繋バー５４の反対側端部は折曲部１１に連繋してある。なお、前記連繋バー５４の上側に設けた一対の突起５５は、前記第１の実施形態の突起１９と同様に、連繋バー５４上に載置した前記給水パイプ７がずれないようにするためのものである。なお、前記連繋バー５４及び蝶ネジ５３とにより保持部材を構成する。
【００２６】
そして、清掃作業などを行う際の冷却パネル６の取り外し作業は、先ず、飼育ブロック３において作業員が蝶ネジ５３を外し、連繋バー５４の内側端部から回転支持板５２を外し、飼育ブロック３側に回転変位すると、該回転支持板５２による冷却パネル６の上縁の内側に対する支持が解除されるので、冷却パネル６を飼育ブロック３側に傾けることが可能となり、作業員はこの傾けた状態の冷却パネル６を持ち上げキャリーなどに積んで所定の場所に運び、清掃作業などを行う。また、前記清掃作業などを終えた冷却パネル６は、飼育ブロック３において作業員が斜めにして持ち、その下端を樋の冷却パネル載置板に載置した後、上端側を起こして起立させ、前記回転支持板５２を蝶ネジ５３で連繋バー５４に連繋する。このようにして冷却パネル６は、その上端の外側が外側支持部材である上部カバー１０の折曲部１１により、また、その上端の内側が内側支持部材である回転支持板５２によりそれぞれ支持される。
【００２７】
なお、本発明は、上記各実施形態になんら限定されるものではなく、例えば、外側支持部材は、冷却パネル６が鶏舎２の外側に傾かないように支持するものであれば、上部カバー１０の折曲部１１とは異なる構成をもつものでもよいほか、内側支持部材は、冷却パネル６の上縁の内側を支持するとともに、前記支持状態を解除可能に構成したものであれば、支持板１５や回転支持板５２とは異なる構成をもつものでもよい。
【図面の簡単な説明】
【００２８】
【図１】第１の実施形態における、空冷装置を組み立てる途中の状態を示す部分斜視図。
【図２】第１の実施形態における、冷却パネルを取り外す途中の状態を示す空冷装置の縦断面図。
【図３】第１の実施形態における、冷却パネルを支持する部分の拡大縦断面図。
【図４】第１の実施形態における、鶏舎の横断面図。
【図５】第１の実施形態における、鶏舎の正面図。
【図６】第２の実施形態における、冷却パネルを支持する部分の拡大縦断面図。
【符号の説明】
【００２９】
１    空冷装置
２    鶏舎
３    飼育ブロック
４    鶏舎外壁
５    外気取り入れ口
６    冷却パネル
７    給水パイプ
８    樋
８ａ    冷却パネル載置板
９    排気ファン
１０    上部カバー
１１    折曲部
１２    補助板
１３    蝶ネジ
１４    固定ボルト
１５    支持板
１６    蝶ネジ
１７    連繋バー
１８    給水受け
１９    突起
２０    補強枠
５０    空冷装置
５１    蝶番
５２    回転支持板
５３    蝶ネジ
５４    連繋バー
５５    突起
【図１】
2010136643.tif 000003
【図２】
2010136643.tif 000004
【図３】
2010136643.tif 000005
【図４】
2010136643.tif 000006
【図５】
2010136643.tif 000007
【図６】
2010136643.tif 000008